(57)【要約】【課題】現在視聴中の番組の視聴を継続しながら、他の映像ソースの映像コンテンツを確認することが可能な技術を提供する。【解決手段】  本発明に係る表示装置は、表示画面上に、第１の映像コンテンツが表示される第１の領域と、該第１の映像コンテンツとは異なる第２の映像コンテンツを選択するための選択アイコンが表示される第２の領域とを形成し、前記選択アイコンは、前記映像コンテンツを提供する複数の映像ソースであって、一つまたは複数の放送ネットワークと、映像記録媒体とを選択可能にしたことを特徴とする。この複数の放送ネットワークは、地上波放送、ＢＳ放送、及びＣＳ放送のいずれ１つか、または全てであり、前記映像記録媒体は、該表示装置に内蔵されたＨＤＤ及び／または表示装置に対し着脱可能なリムーバブルＨＤＤである。【選択図】図１
2009118208.tif 000002
【特許請求の範囲】
【請求項１】
放送信号に基づく映像コンテンツを表示可能な表示装置において、
前記映像コンテンツを表示するための表示部と、
前記表示部に、第１の映像コンテンツが表示される第１の領域と、該第１の映像コンテンツとは異なる第２の映像コンテンツを選択するための選択アイコンが表示される第２の領域とを形成するための映像処理部と、を備え、
前記選択アイコンは、前記映像コンテンツを提供する複数の映像ソースのうち少なくとも一つを切換表示可能であり、
前記複数の映像ソースは、放送ネットワークと、映像記録媒体とを含むことを特徴とする表示装置。
【請求項２】
請求項１に記載の表示装置において、前記複数の放送ネットワークは、地上波放送、ＢＳ放送、及びＣＳ放送のいずれ１つか、または全てを含むことを特徴とする表示装置。
【請求項３】
請求項１に記載の表示装置において、前記映像記録媒体は、該表示装置に内蔵されたＨＤＤであることを特徴とする表示装置。
【請求項４】
請求項１に記載の表示装置において、前記映像記録媒体は、該表示装置に対し着脱可能なリムーバブルＨＤＤであることを特徴とする表示装置。
【請求項５】
請求項１に記載の表示装置において、前記第２の領域に、前記選択アイコンの他に、該選択アイコンによって選択された第２の映像コンテンツの映像を表示することを特徴とする表示装置。
【請求項６】
請求項５に記載の表示装置において、前記選択アイコンによる前記第２の映像コンテンツの選択と非同期で、前記第２の映像コンテンツの映像を切り替え表示することを特徴とする表示装置。
【請求項７】
請求項１に記載の表示装置において、前記選択アイコンは、前記映像ソースを切り換えるための第１の選択アイコンと、該映像ソースで提供される複数の映像コンテンツのうち一つを前記第２の映像コンテンツとして選択するための第２の選択アイコンとを含むことを特徴とする表示装置。
【請求項８】
請求項６に記載の表示装置において、前記第２の選択アイコンは、前記第１の選択アイコンによって前記映像ソースとして放送ネットワークが選択された場合、該放送ネットワークで放送される複数チャンネルの一つを選択可能であることを特徴とする表示装置。
【請求項９】
請求項６に記載の表示装置において、前記第２の選択アイコンは、前記第１の選択アイコンによって前記映像ソースとして映像記録媒体が選択された場合は、該映像記録媒体に録画された複数の映像コンテンツの一つを選択可能であることを特徴とする表示装置。
【請求項１０】
請求項６に記載の表示装置において、更に、該表示装置を操作するためのリモコン装置を備え、該リモコン装置はカーソルキーを含み、前記第１の選択アイコンは、前記カーソルキーの左右方向キーに対する操作に応答して前記映像ソースを選択し、前記第２の選択アイコンは、前記カーソルキーの上下方向キーに対する操作に応答して前記第２の映像コンテンツを選択することを特徴とする表示装置。
【請求項１１】
請求項４に記載の表示装置において、前記第２の領域には、更に、前記第２のコンテンツの映像ソース名、チャンネル番号、放送時間帯（現在視聴中）及び放送内容が表示されることを特徴とする表示装置。
【請求項１２】
請求項１０に記載の表示装置において、前記放送内容が番組タイトルであることを特徴とする表示装置。
【請求項１３】
請求項６に記載の表示装置において、前記第２の領域を表示させるための裏番組チェックボタンをリモコン装置に備えたことを特徴とする表示装置。
【発明の詳細な説明】
【技術分野】
【０００１】
本発明は、衛星、ケーブルまたは地上波を経由して放送されるテレビ放送（主としてデジタル放送）を受信すいてその映像を表示するための、例えばテレビジョン装置などの表示装置に関する。
【背景技術】
【０００２】
従来の放送受信装置は、例えば特開平９−２７０６７３号公報（特許文献１）により知られている。即ち、特許文献１には、ある番組の視聴中に裏番組一覧表示を重畳表示手段と、その裏番組一覧表示において複数の裏番組の情報を文字で表示する手段と、その裏番組表示をスクロールする手段と、表示されている複数の裏番組の何れか１つを指定したときに裏番組一覧表示を消去するとともにその指定裏番組のチャンネルを選局して画面表示する手段とを備えた放送受信装置が記載されている。
【０００３】
【特許文献１】特開平９−２７０６７３号公報
【発明の開示】
【発明が解決しようとする課題】
【０００４】
しかしながら、上記特許文献１には、現在視聴中の放送内容の画面を占領することなく、裏番組チェック用の画面に、選局された裏番組に関する番組情報の表示と該裏番組に関する子画面の放送映像の表示とを行うことについては十分考慮されていなかった。更にまた、表示装置に映像記録媒体を内蔵し、この内蔵映像記録媒体に映像を録画する場合や、リムーバブル記録媒体を表示装置に挿入し、このリムーバブル記録媒体に映像を録画する場合において、現在視聴中の番組を継続して視聴しながら当該録画された映像コンテンツの内容をチェックすることについては配慮が為されていなかった。
【０００５】
本発明の目的は、上記課題に鑑みて為されたものであり、現在視聴中の番組の視聴を継続しながら、他の映像ソースの映像コンテンツを確認することが可能な技術を提供することにある。
【課題を解決するための手段】
【０００６】
上記目的を達成するための、本発明に係る表示装置は、表示画面上に、第１の映像コンテンツが表示される第１の領域と、該第１の映像コンテンツとは異なる第２の映像コンテンツを選択するための選択アイコンが表示される第２の領域とを形成し、前記選択アイコンは、前記映像コンテンツを提供する複数の映像ソースであって、一つまたは複数の放送ネットワークと、映像記録媒体とを選択可能にしたことを特徴とする。
【０００７】
前記複数の放送ネットワークは、地上波放送、ＢＳ放送、及びＣＳ放送のいずれ１つか、または全てであり、前記映像記録媒体は、該表示装置に内蔵されたＨＤＤ及び／または前記表示装置に対し着脱可能なリムーバブルＨＤＤである。
【発明の効果】
【０００８】
本発明によれば、現在視聴中の放送内容の画面を占領することなく、裏番組チェック用
の画面により、現在放送中の裏番組について簡易的に早く確認できる効果を奏する。
【発明を実施するための最良の形態】
【０００９】
本発明に係る放送受信装置の実施の形態について図面を用いて説明する。
【００１０】
本発明に係る放送受信装置の実施形態について図１乃至図５を用いて説明する。図１は、本発明に係る放送受信装置の一実施の形態を示す概略構成図である。１０、１１は、映像コンテンツとして、現在視聴中の番組の放送と裏番組の放送との各々を同時に受信できるチューナ部である。即ち、チューナ部１０で現在視聴中の番組の放送を受信し、チューナ部１１で裏番組の放送を受信する。例えばチューナ部１１は、図示しない放送局からのデジタル放送ソースから、衛星・地上・ケーブルなどの放送伝送網を介してデジタル放送信号を受信し、ユーザインターフェース部であるリモコンなどのユーザ操作部及び制御部（ＣＰＵ）１４を介して指定されたチャンネルの周波数に選局及び検波処理を施した後、該信号に対してデジタル復調及び誤り訂正（ＦＥＣ：Forward Error Correction）処理を行いデジタル信号（例えばＭＰＥＧ２−ＴＳ）をＴＳ（Transport Stream）分離装置１２に出力する。
【００１１】
ＴＳ（Transport Stream）分離装置（多重分離装置）１２は、チューナ部１０、１１の各々で受信した現在視聴中の番組及び選局された裏番組の放送信号（上記指定された各チャンネルの複数のトランスポートパケット）から映像信号（映像のＰＥＳ（Packetized Elementary Stream）又はＥＳ(Elementary Stream)）と音声信号（音声のＰＥＳ又はＥＳ）と番組情報を抽出（分離）する装置である。なお、制御部（ＣＰＵ）１４は、ＴＳ分離装置１２で抽出された番組情報については記憶装置１５に記憶させる。復号部（例えばＭＰＥＧデコーダ）１３は、ＴＳ分離装置１２で抽出された映像信号（映像のＰＥＳ又はＥＳ）および音声信号（音声のＰＥＳ又はＥＳ）をデコード(復号)して出力するものである。制御部（ＣＰＵ）１４は、装置の各部を制御し、情報処理を行い利用者が番組あるいはチャンネルを選択するのを補助する機能を有する。
【００１２】
記憶装置１５は、情報を一時的に蓄える装置である。リモコン装置１６は、左右の押し操作をすることによって、放送衛星（ＢＳ：Broadcast Satellite）によるＢＳデジタル放送、地上デジタル放送、通信衛星（ＣＳ：Communication Satellite）によるＣＳデジタル放送を選択し、上下の押し操作をすることによってチャンネルが選択できる４方向のカーソルキーである選択ボタン１６１と、裏番組チェックボタン１６２とを備えて構成される。ＩＲ（Infrared）受信装置（リモコン受信部）１７は、リモコン信号を受信し、デコードして制御部１４に送信するものである。映像変換装置１８は、例えばＭＰＥＧデコーダ１３でデコードされた視聴中の番組の映像信号を視聴中の画面２に表示する放送映像に変換し、制御部（ＣＰＵ）から得られる裏番組情報に基づいて裏番組チェックの画面（オンスクリーンディスプレイ（ＯＳＤ：On Screen Display））４を形成し、例えばＭＰＥＧデコーダ１３でデコードされた裏番組の映像情報を裏番組チェックの画面内の子画面３に表示する裏番組の放送映像に変換する装置である。表示装置１９は、ＣＲＴ又は液晶又はＰＤＰで構成され、スピーカ装置も備えるものとする。
【００１３】
なお、番組情報とは、放送される番組についての内容や放送時間などの付属情報を含むデータである。この番組情報は放送信号に多重されて受信、分離され、記憶装置１５に記憶されるようになっている。ただし、番組情報については、番組の放送そのものとは別の放送又は通信から取得して記憶装置１５に記憶させてもよい。また、この記憶装置をＨＤＤ（ハード・ディスク・ドライブ）とし、このＨＤＤに所望番組を録画するようにしてもよい。
【００１４】
従って、本実施例は、チューナを複数備えて構成されるため、制御部（ＣＰＵ）１４が、図２に示すように、表示画面１において、第１の映像コンテンツである現在視聴中の放送内容が第１の領域２を占領することなく、例えばその第１の領域の下部に位置する第２の領域４に、第２の映像コンテンツである裏番組情報が表示されことができる。これにより、第１のコンテンツを視聴しながら裏番組チェックが行われる。かかる裏番組情報は、記憶装置１５に記憶されたリモコン１６のボタン操作によって指定された裏番組情報（ネットワーク名（ＢＳデジタル放送、地上デジタル放送、ＣＳデジタル放送など）／チャンネル番号／放送局ロゴ／放送時間帯（現在視聴中）／放送内容（番組タイトルのみ）等の文字又は図形情報）を含んでおり、裏番組チェック情報が確定してから５００ｍｓｅｃ以上遅らせて非同期で、第２の映像コンテンツの映像である裏番組の放送映像を子画面３として表示するように制御される。なお、図２は、［裏番組チェック］の画面の起動時のデフォルト（現在視聴中の番組表示）の状態を示す。
【００１５】
ここで、裏番組チェック画面４の垂直方向寸法が、表示画面の垂直方向寸法の約２５％以下に収まるようにして、現在視聴中番組への視聴を大きく妨げない（つまり占領しない）ようにしている。このために、裏番組チェック画面４に表示される放送内容に関する情報は、番組タイトルのみが表示されるようにしている。しかしながら、裏番組チェック画面４の垂直方向寸法が上記の数値以下に収まるのであれば、番組タイトルとともに、番組の内容を表す簡単な説明文（例えば番組のカテゴリ、出演者、概要等）を併せて表示してもよい。また、現在視聴中の番組の視認性をより向上するために、裏番組チェック画面４を半透明し、現在視聴中番組の映像の一部が裏番組チェック画面４を透過するようにしてもよい。
【００１６】
ところで、子画面３に映し出す映像情報（ＴＳパケット）は、図３に示すように、シーケンスヘッダ２０とＧＯＰ（Group of Picture）２１とを有するグループ単位（５００ｍｓｅｃ）で構成されているため、子画面３に映し出す映像情報を取得するには最大５００ｍｓｅｃ必要となる。ここで、ＧＯＰ２１とは、動画圧縮を行うための映像データグループ単位のことであり、例えば、０．５秒の動画像表示に必要な枚数（約１５枚）のピクチャによってＧＯＰの１グループ単位が構成される。各グループ単位には、１枚のＩ（Intra）ピクチャが先頭に含まれる。これにより、ストリーム上の任意のＧＯＰ２１から子画面への表示を開始することが可能となる。なお、各ＧＯＰの直前にはシーケンスヘッダ２０が付けられており、該シーケンスヘッダに基づいて記録された映像データの再生開始位置を決定することができる。
【００１７】
そのため、本実施例は、現在視聴中の放送内容の画面を占領することなく、例えば下部領域の裏番組チェックの画面に、選局された裏番組情報（裏番組に関する文字又は図形情報）の表示と該裏番組の放送映像（該裏番組に関する映像情報）の子画面への表示を非同期で実行して裏番組について簡易的に即時に確認できるようにしたことにある。
【００１８】
次に、本実施例に係る放送受信装置において、現在視聴中の放送内容の画面を占領することなく、例えば下部領域の［裏番組チェック］の画面に、ボタン操作によって指定された裏番組情報（裏番組の文字又は図形情報）を即時に表示し、非同期でその裏番組の放送映像を［裏番組チェック］の画面内の子画面として表示する制御について図４を用いて説明する。まず、リモコン１６の裏番組チェックボタン１６２を押すことによってその信号がリモコン１６からＩＲ受信装置１７に送信されて制御部（ＣＰＵ）１４に入力されて［裏番組チェック］の画面４が起動して裏番組が選局（指定）が開始される（Ｓ１００）。このとき、再選局、ブランキング、音声ミュートは行わない。該起動時のデフォルトは、図２及び図５（ａ）に示すように、現在視聴中の番組を表示する。また、起動中に、裏番組チェックボタン１６２又は戻るボタン（図示せず）を押すと解除される。
【００１９】
次に、裏番組選択ボタン１６１を操作することによってその信号がリモコン１６からＩＲ受信装置１７に送信されて制御部（ＣＰＵ）１４に入力されて裏番組が選局（指定）される。なお、リモコン１６により「決定」の操作をすることにより該当ＣＨを選局する。このとき、［裏番組チェック］の画面４は、表示されたままの状態とする。また、現在視聴中の番組を選択した場合は、再選局を行わない。また、裏番組チェックボタン１６２で起動した場合は、操作がなくなってから、３分でタイムアウトする。
【００２０】
また、ラスト選択ＣＨ情報のメモリーは行わず、本画面起動時には現在視聴中の番組を表示する。また、地上デジタルの初期スキャンを行っていない場合、番組情報がないため、ネットワークの切換をスキップする。また、裏番組チェック起動中に「ｃｈ↑／↓」が押された場合は、親画面のｃｈのアップ／ダウンを行う。
【００２１】
また、［メニュー／受信設定／地上デジタル／ＣＨスキップ設定］で［する］に設定したｃｈは、スキップし、選択できないこと。また、地デジをスキャンした後、ＡＣオン／オフすると、タイトルがクリアされても可とする。また、裏番組チェック（裏番組チェックボタン１６２）で選局決定した場合は、裏番組チェック終了となる。
【００２２】
また、裏番組チェックの起動条件としては、次のことが考えられる。
（１）データ放送中（「データ放送中は操作できません」メッセージ表示中）、［メンテナンスモード］表示中、［サービス調整画面］表示中、および２画面中は、裏番組チェック表示を起動しない。
【００２３】
なお、裏番組チェックは、上記を除きＴＶメニューなどと同等の起動優先度による後発優先度とする。
（２）裏番組チェック表示中は、データ放送の起動を禁止する。
（３）「戻る」を押した時、及び他のユーザアプリの起動が発生したときは、裏番組チェック表示を終了する。
【００２４】
このように裏番組チェックが起動して裏番組の選局（指定）が開始されると、制御部（ＣＰＵ）１４は記憶装置１５に記憶されている選局（指定）された裏番組の裏番組情報（裏番組に関する文字又は図形情報）を読み出して取得され（Ｓ１１１）、図５（ｂ）に示すように、該取得された裏番組情報を映像変換装置１８を介して表示装置１９の表示画面１において現在視聴中の放送内容の画面２を占領することなく、例えば下部領域の［裏番組チェック］の画面４に即時に表示して即時に確認することが可能となる（Ｓ１１２）。
【００２５】
例えば下部領域の［裏番組チェック］の画面４に表示する番組情報の内容は、ネットワーク名／チャンネル番号／放送局ロゴ／放送時間帯（現在視聴中）／放送内容（番組タイトル名のみ）等の文字又は図形情報である。
【００２６】
また、［裏番組チェック］の表示中、リモコン１６のカーソルキー１６１の左右方向キー、すなわち「カーソル←／→」で、映像コンテンツを提供する映像ソースの一つである放送ネットワーク（地デジ／ＢＳ／ＣＳ等の放送源）切り換え、カーソルキー１６１の上下方向キー、すなわち「カーソル↑／↓」で各ネットワーク内のＣＨ（チャンネル）を切り換え、そのＣＨに応じた番組情報を表示する。
【００２７】
このネットワーク及びＣＨの切り替えは、図２に示されるように、番組チェック画面４内に表示された、第１の選択アイコンであるネットワーク切替キー４１と第２の選択アイコンであるチャンネル切替キー４２を含む選択アイコンを参照しつつ行われる。放送ネットワーク切替キー４１は、例えばデジタル地上波放送、ＢＳ放送等の放送ネットワークを切り替えるためのアイコンであり、カーソルキー１６１の左右キー、すなわち「カーソル←／→」の操作と連動して放送ネットワークを切り替える。例えば、「カーソル→」を押す度に、上記ネットワークを所定の順序で放送ネットワークが切り替わる。図２では、ネットワークとしてＢＳを選択している例を示している。
【００２８】
ＣＨ切替キー４２は、第２の映像コンテンツとして、ネットワーク切替キー４１で選択されたネットワークにおいて放送されるＣＨを切り替えるためのアイコンであり、カーソルキー１６１の左右キー、すなわち「カーソル↑／↓」の操作と連動してＣＨを切り替える。例えば、「カーソル↓」を押す度に、小さい番号のチャンネルから大きい番号のチャンネルへ順次切り替わる。図２では、ＢＳ放送のチャンネルとして、ＢＳ第１チャンネルを選択している例を示している。このように構成することにより、裏番組の選択を容易にしている。
【００２９】
尚、図５（ａ）〜（ｃ）においては、説明の簡略上、ネットワーク切替キー４１及びＣＨ切替キー４２の図示を省略している。
【００３０】
また、［ネットワーク名］の切り替え順番は、現在視聴中のネットワークをデフォルトとし、次の通りとする。
【００３１】
［ＢＳ］⇔［地デジ］⇔［ＣＳ］⇔
また、［ＣＨ番号］の順番は、現在視聴中の［ＣＨ］をデフォルトとし、［番組表］と同様とする。
【００３２】
また、裏番組チェックの番組で次の状態の時は、それぞれ次の通りとする。
【００３３】
（１）外部入力視聴中・・・デジタルのラストｃｈ
（２）ＨＤＤ再生・・・デジタルのラストｃｈ
（３）地アナ視聴中・・・地デジのラストｃｈ
（４）出荷設定後上記（１）（２）（３）の状態で始めて起動した時・・・ＢＳ１０１ｃｈ
また、裏番組チェックが起動して裏番組の選局（指定）が開始されると、制御部（ＣＰＵ）１４は、番組情報取得ステップＳ１１１及び番組情報表示ステップＳ１１１と非同期でステップＳ１０１〜Ｓ１０６を実行し、図５（ｃ）に示すように、［裏番組チェック］の画面４内の子画面３に選局された裏番組の放送映像を表示することが可能となる。即ち、裏番組の選局が開始されて裏番組チェック情報が確定してから子画面（動画）３を表示することになる。このように画面２に視聴中の番組の放送内容を表示しながら、裏番組の放送映像を子画面に表示するためには、図１に示すように少なくとも２つのチューナ１０、１１を備える必要がある。そして、視聴中の番組についての放送内容については例えば
チューナ１０で受信し、裏番組についての放送内容については例えばチューナ１１で受信するものとして以下説明する。
【００３４】
なお、画面２に視聴中の番組の放送内容を表示することについては簡単に説明する。即ち、例えばリモコン１６のキーを操作することによって視聴する番組が選局されると、制御部（ＣＰＵ）１４からの制御に基づいてデジタル放送信号を受信するチューナ部１０に対してチューナ設定が実行されて指定された視聴する番組の周波数に選局及び検波処理を施した後、該信号に対してデジタル復調及び誤り訂正処理を施したデジタル信号（例えばＭＰＥＧ２−ＴＳ）を出力する。次に、制御部（ＣＰＵ）１４からの制御に基づいて選局（指定）された視聴する番組についてのＴＳ（Transport Stream）分離装置１２に対するＴＳフィルタリング設定が実行されてチューナ部１０から出力される視聴する番組の複数のトランスポートパケットから視聴する番組の映像信号（映像のＰＥＳ又はＥＳ）が抽出される。次に、復号部（ＭＰＥＧデコーダを含む）１３においてＴＳ分離装置１２から得られる視聴する番組の映像信号をデコード(復号)し、その結果視聴する番組の映像情報が取得できることになる。次に、制御部１４は映像変換装置１８に対して視聴する番組に対する映像情報の設定が行われ、その結果表示装置１９において図２に示すように、視聴中の画面２に視聴する番組の放送映像が表示できることになる。
【００３５】
次に、裏番組の選局が開始されて裏番組が選局（指定）されると、制御部（ＣＰＵ）１４からの制御に基づいてデジタル放送信号を受信するチューナ部１１に対してチューナ設定が実行されて指定された裏番組の周波数に選局及び検波処理を施した後、該信号に対してデジタル復調及び誤り訂正処理を施したデジタル信号（例えばＭＰＥＧ２−ＴＳ）を出力する（Ｓ１０１）。次に、制御部（ＣＰＵ）１４からの制御に基づいて選局（指定）された裏番組についてのＴＳ（Transport Stream）分離装置１２に対するＴＳフィルタリング設定が実行されてチューナ部１１から出力される裏番組の複数のトランスポートパケットから裏番組の映像信号（映像のＰＥＳ又はＥＳ）が抽出される（Ｓ１０２）。次に、復号部（例えばＭＰＥＧデコーダ）１３においてＴＳ分離装置１２から得られる裏番組の映像信号をデコード(復号)し（Ｓ１０３）、その結果裏番組の映像情報が最大５００ｍｓｅｃで取得できることになる（Ｓ１０４）。次に、制御部１４は映像変換装置１８に対して裏番組に対する映像情報の設定が行われ（Ｓ１０５）、その結果表示装置１９において図５（ｃ）に示すように、［裏番組チェック］の画面４内の子画面３に裏番組の放送映像が５００ｍｓｅｃ以降に表示できることになる（Ｓ１０６）。
【００３６】
子画面３に表示される裏番組の映像情報（シーケンスヘッダ２０）は、記憶装置１５に記録してもされる（Ｓ１０７）。ここで、子画面３に表示した裏番組に対して、例えば選択ボタン１６１の中央に配置された決定ボタンを押すことにより、記憶装置１５に記録されたシーケンスヘッダ２０を用いて、視聴中番組が表示される主画面２に当該裏番組を表示する。これと同時に裏番組チェック画面４が消去される。このように、子画面３に表示される裏番組の映像情報（シーケンスヘッダ２０）を記憶装置１５に記録しておけば、裏番組を主画面２に表示される番組として選択したときに、当該番組を迅速に主画面２に表示されることができる。
【００３７】
ところで、子画面３で裏番組の映像を表示している間に、コマーシャルや番組切り替え等で映像情報が変更されることがあるので、シーケンスヘッダ内の映像情報が変更される場合は、その度にシーケンスヘッダを記録しなおして記録内容を更新するようにしている。これにより、常に最新の映像情報を子画面３により提供するようにしている。
【００３８】
また、子画面３は、放送ソースにより１６：９／４：３を区別して表示することは可能
である。
【００３９】
また、子画面３についての動作は次の通りが考えられる。
（１）子画面３は、裏番組情報切換が終了してから、５００ｍｓｅｃ以上である２秒程度おいて表示する。その理由は、裏番組情報をスピーディーに検索（確認）できることを優先させたく、逆に子画面選局にかかる時間等でスピードを落としたくないためである。（２）図５（ａ）（ｂ）（ｃ）において、子画面３の表示エリアは固定とし、子画面表示が行われない時も、子画面表示エリアに文字を配置しないこと。
（３）スキャン等の関係から、番組情報の表示が子画面表示よりも遅れることがあるが可とする。
（４）子画面のサイドパネルの表示は、単画面で表示される場合と同様な映り方とする。
【００４０】
即ち、サイドパネル（パンスキャン有無に関わらず）はそのまま付けて表示する。また、レター（パンスキャン付き）は、上下を切り出して１６：９で表示する。
【００４１】
次に、〈１６：９子画面座標〉、〈４：３子画面座標〉、〈ＯＳＤ表示領域〉について説明する。〈１６：９子画面座標〉（ｘ，ｙ，ｗ，ｈ）＝（７８５，４４４，１４７，８６）、〈４：３子画面座標〉（ｘ，ｙ，ｗ，ｈ）＝（８２３，４４４，１０９，８６）、〈ＯＳＤ（On Screen Display）表示領域〉（ｘ，ｙ，ｗ，ｈ）＝（０，４３７，９６０，１０３）となる。
【００４２】
次に、図６を参照して、裏番組に係る放送映像の映像情報を取得する構成の他の例を説明する。即ち、図６は、子画面３に表示する裏番組の放送映像の処理フローを示したものである。ステップＳ１００ａは、裏番組の子画面についての選局を示す。次に、ステップＳ１０１乃至ステップＳ１０３は、図５と同様である。第２の実施の形態の場合は、裏番組の映像情報をＭＰＥＧレコードした段階で、制御部（ＣＰＵ）１４は、図５に示すステップＳ１０７において記憶装置１５に記録した該当する裏番組の映像情報が記録済であるか否かを調べ、有る場合には記憶装置１５に記録されたグループ単位（直前にシーケンスヘッダ２０が付いたＧＯＰ２１）から子画面への裏番組の映像情報を取得し（Ｓ１０９）、無い場合にはストリーム上の任意のグループ単位（直前にシーケンスヘッダ２０が付いたＧＯＰ２１）から子画面への裏番組の映像情報を取得する（最大５００ｍｓｅｃ）（Ｓ１０４）。そして、このように取得された裏番組の映像情報に対してステップＳ１０５において映像情報設定を行うことにより、ステップＳ１０６において子画面３に裏番組の放送映像を表示することが可能となる。
【００４３】
以上説明したように、この例によれば、裏番組の子画面へ表示する映像情報を記憶装置１５に記録することによって、当該裏番組が選局された場合には、最大５００ｍｓｅｃ待たずに子画面に放送映像を表示することが可能となる。
【００４４】
次に、本発明に係る表示装置の一実施例について、図７を参照しつつ説明する。上記の実施例では、映像コンテンツを提供する映像ソースとして、地上波デジタル放送、ＢＳデジタル放送、ＣＳデジタル放送等の放送ネットワークのみであったが、本実施例では、これに、映像ソースとして映像記録媒体を選択できるようにしたものである。すなわち、本実施例では、図７に示すように、第１の領域に第１のコンテンツである現在視聴中の番組を表示しながら、第２の映像コンテンツとして、放送ネットワーク（ＢＳデジタル放送、地上デジタル放送、ＣＳデジタル放送など）以外に、記録媒体に記録された録画番組の情報を第２の領域に表示し、かかる録画番組をチェックすることを可能にしたものである。
【００４５】
ここで、記録媒体とは、例えば、上述した記憶装置１５であり、表示装置に内蔵されたＨＤＤ（ハード・ディスク・ドライブ）である。また、図示しないが、表示装置に着脱可能に挿入されるリムーバブルＨＤＤであってもよい。本実施例は、表示装置によってＨＤＤなどの映像記録媒体に所望の番組を録画させる場合において、当該録画番組の内容を、視聴中の番組を継続視聴しながらチェックする場合に有用である。すなわち本実施例は、裏番組チェックの他に、録画番組をチェックすることも可能としている。このチェックの詳細について以下に説明する。
【００４６】
図７に示されるように現在視聴中の番組が第１の映像コンテンツとして画面２に表示されている。ここで、リモコン装置１６の裏番組チェックボタン１６２を押すと、第２の領域である画面４が表示部に表示される。そして、リモコン装置１６に設けられたカーソルキー１６１の左右方向キーのいずれかを押す度に、ネットワーク切替キー４１に表示される映像ソースが次のように順次切り替わるようにしている。
【００４７】
［ＢＳ］⇔［地デジ］⇔［ＣＳ］⇔［録画番組］⇔
このように、本実施例では、「ＢＳ」、「地デジ」、「ＣＳ」等の放送ネットワークの他に、映像ソースの選択肢として、例えばＨＤＤなどに録画された「録画番組」を追加したものである。映像ソースとして「ＢＳ」、「地デジ」、「ＣＳ」等の放送ネットワークが選択されたときの、第２の選択アイコンであるカーソルキー１６１の上下キーの動作は上述した通りであるが、「録画番組」が選択された場合にカーソルキー１６１の上下キーで操作すると、例えば録画した時間の順に録画番組の情報を切り替え表示することができる。放送ネットワークが選択されたときカーソルキー１６１の上下キーを押すと、上述の例ではチャンネル切替キー４２にチャンネル番号が表示されたが、本例では、録画番組毎に付された番組識別子（ここでは、図７に示されるように「録画１」）が表示される。ここで、カーソルキー１６１の上下キーの操作に応答した録画番組の切換表示の順番は、例えば、録画時刻が古い順番とする。当然録画時刻が新しい順番に切換表示してもよい。更にまた、録画時間に関係なく、名前順（例えばアイウエオ順、アルファベット順）に切換表示してもよい。どのような順番で切換表示させるかは、記憶装置１５における番組のソート状態に依存するものとする。例えば、記憶装置１５において複数の録画番組が録画時刻の順にソートされていれば、カーソルキー１６１の上下キーの操作に連動して、録画時間の古い（または新しい）順に録画番組情報が切り替え表示され、記憶装置１５において複数の録画番組が名前順にソーとされていれば、カーソルキー１６１の上下キーの操作に連動して、名前順に録画番組情報が切り替え表示される。
【００４８】
本実施例において、第２の領域である裏番組チェック画面４に表示される録画番組情報の内容は、録画モード／録画日／録画曜日／放送時間帯／番組タイトル等の文字又は図形情報である。更に、子画面３には、記憶装置１５から読み出された録画番組の縮小映像が表示される。ここで、子画面３に表示される縮小映像は動画でもよいが、静止画のサムネイルをでもよい。
【００４９】
上記のような第１の映像コンテンツ、第２の映像コンテンツの表示は、映像処理回路である映像変換装置１８で行われ、表示切替などは、ユーザのリモコン装置１６に対する操作に応答して、ＣＰＵ１４により映像変換装置１８を制御することで行われる。
【００５０】
このように、本実施例の構成によれば、現在放送中の番組のみならず、録画された番組に対しても［裏番組チェック］が可能となり、所望の番組を視聴しながら、それとは異なる様々な映像コンテンツを確認することが可能となる。
【図面の簡単な説明】
【００５１】
【図１】本発明に係る放送受信装置の一実施の形態を示す概略構成図である。
【図２】本発明に係る放送受信装置における表示画面において、現在視聴中の放送内容の画面を占領することなく、［裏番組チェック］の画面に裏番組チェック起動時のデフォルト状態を表示した場合を示す図である。
【図３】本発明に係る子画面に映し出す裏番組の映像情報（ＴＳパケット）を示す図である。
【図４】本発明に係る放送受信装置における［裏番組チェック］に関する第１の実施の形態を示す処理フロー図である。
【図５】本発明にかかる実施例による表示画面の遷移の一例を示す図である。
【図６】本発明に係る放送受信装置における［裏番組チェック］に関する例を示す処理フロー図である。
【図７】本発明に係る一実施例を示す図である。
【符号の説明】
【００５２】
１…表示画面、２…現在視聴中の放送内容の画面、３…選局された裏番組における放送映像を表示する子画面、４…［裏番組チェック］の画面、１０、１１…チューナ部、１２…ＴＳ（Transport Stream）分離装置（多重分離装置）、１３…復号部（ＥＰＥＧデコーダを含む）、１４…制御部（ＣＰＵ）、１５…記憶装置、１６…リモコン装置、１６１…裏番組選択ボタン、１６２…裏番組チェックボタン、１７…ＩＲ（Infrared）受信装置（リモコン受信部）、１８…映像変換装置、１９…表示装置、２０…シーケンスヘッダ、２１…ＧＯＰ（Group of Picture）。
【図１】
2009118208.tif 000003
【図２】
2009118208.tif 000004
【図３】
2009118208.tif 000005
【図４】
2009118208.tif 000006
【図５】
2009118208.tif 000007
【図６】
2009118208.tif 000008
【図７】
2009118208.tif 000009